(57)【特許請求の範囲】
【請求項１】
調理時間の設定のためのタイマー軸と、多数のギアを媒介にして前記タイマー軸を回転させるタイマーモータと、調理時の出力を調節するための出力調節軸と、電源の連結時間を断続して出力を調節する出力スイッチと、前記タイマー軸と離隔した位置に回動自在に設けられその一端に調節ギアが設けられた調節ギア軸と、前記出力調節軸と前記調節ギア軸が連動するよう前記出力調節軸のギアと前記調節ギアとの間に設けられる一つ以上の連結ギアと、前記出力スイッチの開閉のために前記調節ギア軸の外面に軸方向移動が可能な状態に回動自在に結合され、前記タイマーモータの駆動により回転する出力調節カムと、該出力調節カムと接するよう設けられ前記出力調節カムの動作により所定量だけ回動しつつ前記出力スイッチを開閉させる作動レバーを備える電子レンジ用タイマーにおいて、
前記出力調節軸を通して電子レンジの出力を最大に設定する際前記出力調節カムを押えて前記作動レバーと前記出力調節カムとの接触を解除させ前記出力スイッチの電源が引き続き連結された状態になるよう前記出力調節カムの側方に昇降自在に設けられ、その軸が前記連結ギア側に延びた押圧部材と、該押圧部材の軸を押圧するように前記連結ギアに突設された加圧突起と、を備えることを特徴とする電子レンジ用タイマー。
【請求項２】
前記タイマー軸の回転のための多数のギア、前記出力調節カム、前記出力スイッチ、前記作動レバーを回動自在な状態に受け入れるタイマーケースと、前記出力調節軸、前記連結ギアが前記タイマーケースの外側に回動自在な状態に設けられるよう前記タイマーケースの外側に結合されるフレームをさらに備えることを特徴とする請求項１に記載の電子レンジ用タイマー。
【請求項３】
前記調節ギア軸の調節ギアと前記連結ギアが噛み合うよう前記調節ギアが前記タイマーケースの外部に露出するよう設けられ、
前記押圧部材の軸が前記連結ギアの加圧突起に接触できるよう前記押圧部材の軸が前記タイマーケースを貫通して外部に露出されるよう設けられることを特徴とする請求項２に記載の電子レンジ用タイマー。
【請求項４】
前記出力調節軸の設定を通して前記調節ギア軸が回転する時前記出力スイッチのオンオフ時間が調節できるよう前記調節ギア軸から前記出力調節カム側に山形に突出された一つ以上の第１突起部と、前記出力調節カムが回転しつつ前記第１突起部と接触する際所定量だけ軸方向に押されながら前記作動レバーと前記出力調節カムの外周面の接触が解除されることにより前記出力スイッチが連結できるよう前記第１突起部と対応位置の前記出力調節カムに形成された一つ以上の第２突起部と、前記出力調節カムを前記第１突起部側に加圧するよう前記調節ギア軸に軸着されたバネをさらに備えることを特徴とする請求項１に記載の電子レンジ用タイマー。
【発明の詳細な説明】
【０００１】
【発明の属する技術分野】
本発明は電子レンジ用タイマーに係り、さらに詳しくは調理時の出力調節のための出力調節軸を最大に設定した時出力スイッチの電源が常に連結された状態に維持するようにした電子レンジ用タイマーに関する。
【０００２】
【従来の技術】
最近開発された電子レンジ用タイマーは、ユーザーが電子レンジの調理時間を設定できるようタイマーモータにより駆動されるタイマー軸と、調理がなされる過程においてマグネトロンの稼動時間の調節により出力(POWER)を調節するための出力調節軸を備える。
【０００３】
また電子レンジ用タイマーは、タイマー軸の減速回転のための多数のギアを備え、タイマー軸の回動により電子レンジの電源を断続できるようタイマー軸に結合されたタイマーカムと、タイマーカムの回動により開閉されるメイン電源スイッチと、を備える。
【０００４】
そして電子レンジ用タイマーは、調理時間中にマグネトロンに印加される電源の連結時間を断続して出力を調節するための出力スイッチを備え、出力調節軸の設定により出力スイッチの開閉がなされるようタイマーモータの駆動により回動する出力調節カムと、該出力調節カムの動作により所定量だけ回動しつつ出力調節スイッチを開閉させる作動レバーと、を備える。この際、従来の電子レンジ用タイマーは、出力調節軸の設定により作動レバーと出力調節カムの接触が制御されるよう構成されることにより作動レバーの動作が決まり、このような作動レバーの動作により出力スイッチがオン(ON)されたりオフ(OFF)される時間が調節されることにより電子レンジの出力を調節できるようになる。
【０００５】
ところが、このような構成の従来の電子レンジ用タイマーは、出力調節軸が最大に設定される場合も出力調節カムにより作動レバーが動作する構造なのでごく短時間であっても出力スイッチがオフ(OFF)される問題点があった。そして、このように出力スイッチが不要に頻繁に開閉されることにより出力スイッチ接点の早い損傷によりタイマーの寿命が縮まるとの問題点があった。
【０００６】
【発明が解決しようとする課題】
本発明は前述したような問題点を解決するために案出されたもので、その目的は出力調節軸が最大に設定される場合、出力スイッチの接点が引き続き連結された状態を維持するようにして出力スイッチの接点損傷を防止し、タイマーの寿命を延せる電子レンジ用タイマーを提供するところにある。
【０００７】
【課題を解決するための手段】
前述した本発明の問題点を解決するために本発明に係る電子レンジ用タイマーは、調理時間を設定するためのタイマーモータと、多数のギアを媒介にして前記タイマー軸を回転させるタイマーモータと、調理時の出力を調節するための出力調節軸と、電源の連結時間を断続して出力を調節する出力スイッチと、前記タイマー軸と離隔した位置に回動自在に設けられその一端に調節ギアが設けられた調節ギア軸と、該出力調節軸と前記調節ギア軸が連動するよう前記出力調節軸のギアと前記調節ギアとの間に設けられる一つ以上の連結ギアと、前記出力スイッチの開閉のために前記調節ギア軸の外面に軸方向移動自在な状態に回動自在に結合され前記タイマーモータの駆動により回転する出力調節カムと、該出力調節カムと接するよう設けられ前記出力調節カムの動作により所定量だけ回動しつつ前記出力スイッチを開閉させる作動レバーを含む電子レンジ用タイマーにおいて、前記出力調節軸を通して電子レンジの出力を最大に設定する際前記出力調節カムを押えて前記作動レバーと前記出力調節カムの接触を解除させ、前記出力スイッチの電源が引き続き連結された状態になるよう前記出力調節カムの側方に昇降自在に設けられ、その軸が前記連結ギア側に延びた押圧部材と、該押圧部材の軸を押えるよう前記連結ギアに突設された加圧突起と、を備えることを特徴とする。
【０００８】
また、本発明は前記タイマー軸の回転のための多数のギア、前記出力調節カム、前記出力スイッチ、前記作動レバーを回動自在な状態に受け入れるタイマーケースと、前記出力調節軸、前記連結ギアが前記タイマーケースの外側に回動自在な状態に設けられるよう前記タイマーケースの外側に結合されるフレームをさらに含むことを特徴とする。
【０００９】
そして、本発明は前記調節ギア軸の調節ギアと前記連結ギアが噛み合うよう前記調節ギアが前記タイマーケースの外部に露出されるよう設けられ、前記押圧部材の軸が前記連結ギアの加圧突起に接触できるよう前記押圧部材の軸が前記タイマーケースを貫通して外部に露出されるよう設けられることを特徴とする。
【００１０】
また、本発明は前記出力調節軸の設定を通して前記調節ギア軸が回転される際前記出力スイッチのオンオフ時間が調節できるよう前記調節ギア軸から前記出力調節カム側に山形に突出された一つ以上の第１突起部と、前記出力調節カムが回転第１突起部と接触する際所定量だけ軸方向に押されながら前記作動レバーと前記出力調節カムの外周面の接触が解除されることにより前記出力スイッチが連結できるよう前記第１突起部と対応位置の前記出力調節カムに形成された一つ以上の第２突起部と、前記出力調節カムを前記第１突起部側に加圧するよう前記調節ギア軸に結合されたバネをさらに備えることを特徴とする。
【００１１】
【発明の実施の形態】
以下、添付した図面に基づき本発明に係る望ましい実施形態を詳述する。
本発明が適用される電子レンジは、図１に示した通り、内部に調理室１１と電装室１２が区画されるよう設けられた本体１０を備える。また調理室１１の開放された前面には開閉自在なドア１３が設けられる。そして、電装室１２の前面には機器の動作を制御するためのものとして、調理時間調節のための時間調節用摘み１５と、電子レンジの出力調節のための出力調節用摘み１６を備えたタイマーと、機器の動作状態を表示する表示部１７を備える操作パネル１４が設けられる。
【００１２】
操作パネル１４に設けられたタイマー２０は、図２に示す通り、操作パネル１４の裏面に固定される平板型のフレーム２１と、フレーム２１に固定されたタイマーケース２２を備える。この際、図面上のフレーム２１の上側には操作パネル１４の前方に露出された出力調節用ハンドル１６が結合される出力調節軸２３が回転自在に設けられ、フレーム２１の下側にはタイマーケース２２の内部から延び、時間調節用摘み１５が結合されるタイマー軸２４が設けられる。
【００１３】
また、タイマー２０はタイマーケース２２の内部の多数のギアを駆動できるようにタイマーケース２２の外面に結合されるタイマーモータ２５を含み、出力調節軸２３を回転させる時、この回転がタイマーケース２２の調節ギア軸２６に伝達できるようフレーム２１に回転自在に設けられた一つ以上の連結ギア２７とを備える。勿論、出力調節軸２３にも連結ギア２７との噛合いのためのギア２３ａが設けられる。
【００１４】
タイマーケース２２の内部には、図３に示した通り、タイマー軸２４の回動により電子レンジの電源を断続できるようタイマー軸２４に結合されたタイマーカム２８と、タイマーカム２８の回動により開閉されるメイン電源スイッチ２９が設けられる。また、タイマーカム２８とメイン電源スイッチ２９との間にはタイマーカム２８が所定角度以上回転され調理時間が設定された時メイン電源スイッチ２９を押えて接点を連結させるよう回動自在に設けられたメインスイッチ用レバー３０が設けられている。そしてタイマーモータ２５の軸２５ａとタイマー軸２４との間にはタイマーモータ２５が回転する際タイマー軸２４が低速で回転できるよう減速ギア列をなすように設けられた多数のギア３１が備えられている。
【００１５】
また、タイマーケース２２の内部には調理時マグネトロン(図示せず)に印加される電源を断続して電子レンジの出力を調節できるようにする出力スイッチ３２が設けられる。そして、タイマー軸２４と所定距離離隔された位置のタイマーケース２２の他側には出力調節軸２３の設定により出力スイッチ３２の接点が周期的にオンオフできるようにする出力調節手段が設けられる。
【００１６】
図３、図４、図５に示した通り、出力調節手段はタイマーケース２２に回動自在に設けられ、タイマーケース２２の外部に露出される調節ギア２６ａを備えた調節ギア軸２６と、タイマーケース２２内の調節ギア軸２６の外面に所定区間において軸方向移動が可能な状態に回転自在に設けられた出力調節カム３３と、出力調節カム３３の動作により所定角度回動しつつ出力スイッチ３２をオンオフさせるようタイマーケース２２内に回動自在に設けられた作動レバー３４と、を備える。
【００１７】
調節ギア軸２６は、図４及び図５に示した通り、タイマーケース２２を貫通して外側に露出できるようその一端部に調節ギア２６ａが形成され、調節ギア２６ａと軸２６ｂの境界部にはタイマーケース２２の内面に支持できるよう調節ギア２６ａの外径より大きい段差型の支持部２６ｃが形成される。そして、タイマーケース２２の外側に露出された調節ギア２６ａは出力調節軸２３と連動するようフレーム２１に設けられた連結ギア２７と噛み合う。このような構成は、出力調節軸２３を回転させる際連結ギア２７を媒介にして調節ギア２６ａが回転することにより調節ギア軸２６が回転できるようにした。
【００１８】
出力調節カム３３は、所定の厚さを有する円板状に設けられ、その外周面の一側にはタイマーモータ２５が回転する際減速回転できるようタイマーケース２２内に備えられる減速ギアと噛み合うギア部３３ａが形成される。また作動レバー３４の接触部３４ａと接する出力調節カム３３の外周面には外周面から所定深さ陥没される一つ以上のカム溝３３ｂが形成される。またカム溝３３ｂには出力調節カム３３の回転方向に傾斜面３３ｃが形成される。
【００１９】
また、調節ギア軸２６の支持部２６ｃと出力調節カム３３の側面３３ｄ(図４において上面)との間には回転する出力調節カム３３が周期的に所定区間において軸方向に移動できるようにするため支持部２６ｃに設けられた一つ以上の第１突起部２６ｄと、第１突起部２６ｄの位置と対応する出力調節カム３３の側面３３ｄから突出された一つ以上の第２突起部３３ｅを備える。この際、第１突起部２６ｄは支持部２６ｃから出力調節カム３３の側面３３ｄ側に山形に突出し、第２突起部３３ｅは出力調節カム３３の側面３３ｄから支持部２６ｃ側に山形に突出している。また、調節ギア軸２６には軸方向に移動する出力調節カム３３がさらに元の状態に復元できるよう出力調節カム３３を第１突起部２６ｄ側に弾性支持するバネ３５が設けられる。
【００２０】
このような調節ギア軸２６と出力調節カム３３は、出力調節カム３３が回転すると同時に周期的に所定区間において軸方向に移動する際作動レバー３４の接触部３４ａが出力調節カム３３の外周面と接した状態と出力調節カム３３の側面３３ｄ(図面の上面)と接した状態とが反復しつつ作動レバー３４の回動がなされ、このような作動レバー３４の動作を通して出力スイッチ３２が周期的にオンオフできるようにした。
【００２１】
さらに詳しく説明すれば、作動レバー３４の接触部３４ａがカム溝３３ｂに進入された状態で出力調節カム３３が回転する時は、それ以降作動レバー３４の接触部３４ａが出力調節カム３３の外周面と接した状態になることにより作動レバー３４を通して出力スイッチ３２の接点をオフさせる。また、作動レバー３４の接触部３４ａが出力調節カム３３の外周面と接した状態を維持する間出力調節カム３３がさらに回転して第２突起部３３ｅと第１突起部２６ｄの接触を通して出力調節カム３３が所定区間において軸方向に押される時は作動レバー３４の接触部３４ａが出力調節カム３３の外周面から外れて出力調節カム３３の側面と接した状態になることにより作動レバー３４の動作を通して出力スイッチ３２の接点をオン(ON)させる。そして、カム溝３３ｂの傾斜面３３ｃは出力調節カム３３が回転する間出力調節カム３３の側面３３ｄと接した状態を維持していた作動レバー３４の接触部３４ａがカム溝３３ｂに再び円滑に進入できるようにしたものである。
【００２２】
また、本発明に係るタイマー２０は、電子レンジの出力が最大になるよう出力調節軸２３を回転させた時出力調節カム３３が押圧状態になって作動レバー３４の接触部３４ａが出力調節カム３３の外周面との接触が解除された状態を維持することにより出力スイッチ３２の電源が引き続きオン状態になるようにするため出力調節カム３３と隣接するタイマーケース２２内に設けられた押圧部材３７をさらに備える。
【００２３】
この押圧部材３７は、図４及び図５に示した通り、調節ギア軸２６と並んで設けられ所定区間において軸方向に移動自在にタイマーケース２２の内部に結合された軸３７ａと、出力調節カム３３の側面３３ｄ(図面の上面)を押圧できるよう軸３７ａから円弧状に延びる押圧部３７ｂと、を備える。
【００２４】
また、押圧部材の軸３７ａは、図５に示した通り、タイマーケース２２を貫通して出力調節軸２３と連動する連結ギア２７側に延び、連結ギア２７の一側には出力調節軸２３の回転を通して設定値が最大になる際押圧部材３７の軸３７ａを押圧できるよう押圧部材３７の軸３７ａ側に突出された加圧突起２７ａが設けられている。
【００２５】
このような構成は、出力調節軸２３の設定値が最大になる際連結ギア２７の回転を通して加圧突起２７ａが押圧部材３７の軸３７ａに至って押圧部材の軸３７ａを押圧することにより押圧部材３７が出力調節カム３３を押圧した状態を維持するようにしたものであり、これを通して第１突起部２６ｄと第２突起部３３ｅが引き続き離隔した状態を維持し、作動レバー３４の接触部３４ａと出力調節カム３３の外周面の接触が防止されることにより出力スイッチ３２が引き続きオン(ON)状態に維持されるようにした。
【００２６】
次いで、このような構成の本発明に係る電子レンジ用タイマーの全体的な動作を説明する。
ユーザが調理時間を設定するために時間調節用摘み１５を所定角度回転すれば、タイマーケース２２の内部のタイマー軸２４に結合されたタイマーカム２８が回転する。この際、タイマーカム２８と接するメイン電源スイッチ用レバー３０はメイン電源スイッチ２９の電源を連結させることにより調理可能な状態になり、タイマーモータ２５が駆動されながらタイマーカム２８が設定された時間中回転する。
【００２７】
タイマー軸２４を通した調理時間の設定後調理時の出力を設定するためには出力調節用ハンドル１５を通して出力調節軸２３を所望の設定値に回転させる。この際、出力調節軸２３と連動する連結ギア２７と調節ギア２６ａを通して調節ギア軸２６が設定された角度ほど回転する。従って、調節ギア軸２６の支持部２６ｃに形成された第１突起部２６ｄは設定された位置に回転した後停止状態を維持する。
【００２８】
この状態で出力調節カム３３は、タイマーモータ２５の駆動により回転し続けるので、出力調節カム３３が回転しつつ第２突起部３３ｅが第１突起部２６ｄの位置に至れば山形の二つの突起部２６ｄ、３３ｅを通して一時的に出力調節カム３３が軸方向に押される。このような動作がなされる時、作動レバー３４は接触部３４ａが出力調節カム３３のカム溝３３ｂに進入した後出力調節カム３３の外周面と接した状態を維持したり、出力調節カム３３の軸方向移動を通して出力調節カム３３の外周面から外れる動作が設定された周期に反復されることにより出力スイッチ３２をオンオフさせる。
【００２９】
すなわち、作動レバー３４の接触部３４ａがカム溝３３ｂに進入された状態で出力調節カム３３が回転する時は作動レバー３４の接触部３４ａが出力調節カム３３の外周面と接した状態で出力調節カム３３の回転がなされるため、作動レバー３４を介して出力スイッチ３２の接点がオフ(OFF)された状態に維持される。この状態で出力調節カム３３がさらに回転して第２突起部３３ｅと第１突起部２６ｄが接触して出力調節カム３３が所定区間において軸方向に押されるならば作動レバー３４の接触部３４ａが出力調節カム３３の外周面から外れて出力調節カム３３の側面３３ｄと接した状態になるため、作動レバー３４の逆方向動作を通して出力スイッチ３２の接点が再びオン(ON)状態になる。そして、出力調節カム３３がさらに回転すれば、再び作動レバー３４の接触部３４ａがカム溝３３ｂの傾斜面３３ｃに案内されながらカム溝３３ｂの内部に進入され、再び前述した動作を繰り返しながら出力スイッチ３２の周期的なオンオフがなされる。
【００３０】
この際、出力調節軸２３の設定値が大きくなるか小さくなる方向に変更されて調節ギア軸２６の第１突起部２６ｄの位置が変わるならば出力スイッチ３２のオンオフ時間も変わる。すなわち、出力調節軸２３を回転させ電子レンジの出力を下げる時は、作動レバー３４の接触部３４ａがカム溝３３ｂに進入された状態で第１突起部２６ｄが第２突起部３３ｅから遠ざかることにより作動レバー３４の接触部３４ａが出力調節カム３３の外周面と接する時間が延びるので、出力スイッチ３２のオン(ON)時間が短縮されオフ(OFF)時間が延びて電子レンジの出力が下がる。逆に、出力調節軸２３を回転させ電子レンジの出力を高める時は作動レバー３４の接触部３４ａがカム溝３３ｂに進入した状態で第１突起部２６ｄが第２突起部３３ｅから近づくことにより、作動レバー３４の接触部３４ａが出力調節カム３３の外周面と接する時間が短縮するので、出力スイッチのオン(ON)時間が延び、オフ(OFF)時間が短縮され電子レンジの出力が高まる。
【００３１】
また、電子レンジの出力が最大になるよう出力調節軸２３を回転させた時は、図６に示した通り、出力調節軸２３と連動する連結ギア２７が回転しつつ連結ギア２７の加圧突起２７ａが押圧部材３７の軸３７ａを押えるので押圧部材３７が出力調節カム３３を押えた状態を維持する。従って、この場合は第１突起部２６ｄと第２突起部３３ｅの接触が防止された状態であり、作動レバー３４の接触部３４ａと出力調節カム３３の外周面の接触が防止された状態で出力調節カム３３の回転がなされるため、出力スイッチ３２が引き続きオン(ON)状態を維持する。すなわち、この場合はマグネトロン側に引き続き電源が印加されるため電子レンジの最大出力が発揮される。
【００３２】
【発明の効果】
以上述べた通り、本発明に係る電子レンジ用タイマーは、出力調節軸が最大に設定される際押圧部材が出力調節カムを押えて出力スイッチの接点を引き続き連結状態に維持させるため、出力スイッチの接点損傷が防止されタイマーの寿命を伸ばす効果を奏する。
【図面の簡単な説明】
【図１】  本発明が適用された電子レンジの外観を示した斜視図である。
【図２】  本発明に係る電子レンジ用タイマーの全体的な構成を示した側面図である。
【図３】  本発明に係る電子レンジ用タイマーのタイマーケースの内部構成を示した平面図である。
【図４】  本発明に係る電子レンジ用タイマーの出力調節手段の構成を示した分解斜視図である。
【図５】  本発明に係る電子レンジ用タイマーのタイマーケース内部の出力調節手段の構成を示した断面図であって、出力スイッチがオフ(OFF)された状態を示した図である。
【図６】  本発明に係る電子レンジ用タイマーのタイマーケースの内部の出力調節手段を構成を示した断面図であって、出力スイッチがオン(ON)された状態を示した図である。
【符号の説明】
１０  本体
１４  操作パネル
２０  タイマー
２１  フレーム
２２  タイマーケース
２３  出力調節軸
２４  タイマー軸
２５  タイマーモータ
２６  調節ギア軸
２７  連結ギア
２７ａ  加圧突起
２８  タイマーカム
２９  メイン電源スイッチ
３２  出力スイッチ
３３  出力調節カム
３４  作動レバー
３５  バネ
３７  押圧部材
【図１】
0004002140.tif 000002
【図２】
0004002140.tif 000003
【図３】
0004002140.tif 000004
【図４】
0004002140.tif 000005
【図５】
0004002140.tif 000006
【図６】
0004002140.tif 000007